(57)【要約】      （修正有）【課題】贈り主が書いたメッセージをパズルピースによって秘匿すると共に、ジグソーパズル全体の元のデザインも秘匿することが出来るパズル兼用レターカードを提供する。【解決手段】台紙の所定領域に設けた文字や絵などを書くことが出来るメッセージ記入欄を、パズルピースで隠蔽する。パズルピースは凹凸を有しない矩形で構成されるので、各パズルピースを任意に配置することが出来る。【選択図】図１
0003175903.tif 000002
【実用新案登録請求の範囲】
【請求項１】
台紙の所定領域に設けたメッセージ記入欄と、
前記メッセージ記入欄を少なくとも隠蔽するとともに、ジグソーパズルとしてのパズルピースとを備えたパズル兼用レターカードであって、
前記パズルピースは凹凸を有しない矩形で構成されることを特徴とするパズル兼用レターカード。
【請求項２】
元のデザインと異なるように、使用する全てのパズルピースを用いて前記パズルピースが再配置されることを特徴とする請求項１記載のパズル兼用レターカード。
【請求項３】
前記台紙の外形または前記台紙表面のデザインは、前記パズルピースで表現されるデザインのモチーフと同一モチーフで形成されることを特徴とする請求項１記載または請求項２記載のパズル兼用レターカード。
【請求項４】
前記台紙の形状、台紙デザイン、パズルピースデザインの少なくとも一つが絵馬をモチーフとしたものであることを特徴とする請求項１乃至請求項３記載のパズル兼用レターカード。
【請求項５】
パズルの難易度に応じて前記パズルピースの数が異なることを特徴とする請求項１記載乃至請求項４記載のパズル兼用レターカード。
【請求項６】
前記パズルピースによる分割を禁止するデザイン部が最初に決められ、このデザイン部分がパズルピースにより分割されないようにパズルピースの分割が行われ、このパズルピースに合わせて他のパズルピースを含む全体のパズルピース分割が行われたことを特徴とする請求項１乃至請求項５記載のパズル兼用レターカード。
【請求項７】
前記台紙の裏面に奉納したい神社仏閣の住所等宛先を書きポストへの投函又は郵便窓口への送付依頼をすることにより、前記奉納したい神社仏閣に前記パズル兼用レターカードが郵送され奉納されることを特徴とする請求項１乃至請求項６記載のパズル兼用レターカード。
【請求項８】
前記パズルピース表面に前記パズルピース表面に表示デザインが剥離しないための剥離防止剤が塗布されたことを特徴とする請求項１乃至請求項７記載のパズル兼用レターカード。
【請求項９】
前記パズルピース表面及びパズルピースを取り囲む額縁表面が、前記パズルピースが前記台紙から剥離しない為のシートで覆われたことを特徴とする請求項１乃至請求項８記載のパズル兼用レターカード。
【請求項１０】
完成デザインを初期的には遊技者に見えないように表示することを特徴とする請求項１乃至請求項９記載のパズル兼用レターカード。
【請求項１１】
前記パズルピースと前記台紙間に、郵便書簡（ミニレター）が挿入されていることを特徴とする請求項１乃至請求項１０記載のパズル兼用レターカード。
【請求項１２】
前記パズル兼用レターカードの前記台紙裏面に、返信用メッセージ欄を設けたことを特徴とする請求項１乃至請求項１１記載のパズル兼用レターカード。
【考案の詳細な説明】
【技術分野】
【０００１】
本考案は、ジグソーパズルとしても楽しむことができるレターカードに関するものである。
【背景技術】
【０００２】
従来、文字や絵などを書いてレターカードとして郵送するだけでなく、レターカードにジグソーパズルの機能を持たせて、レターカードを贈った相手にジグソーパズルとしても楽しんでもらうジグソーパズル兼用レターカードが開発されている。
【０００３】
ジグソーパズル兼用レターカードの第１の従来技術として、特許文献１（特開２００２−２４０４７１公報）にパズル付きはがきが開示されている。この公報記載の発明では、基板表面のメッセージ記入欄に送り先相手へのメッセージを書いた後、基板表面にパズルピースを組み合わせ書かれたメッセージを隠蔽する。これにより基板表面に書かれたメッセージが第三者に読まれる恐れは少なく、かつ送り先相手はパズルピースを取り外してメッセージを読んだ後、通常のジグソーパズルとして楽しむことが出来る。
【０００４】
またジグソーパズル兼用レターカードの第２の従来技術として、特許文献２（特開２００１−２２４８３９公報）にジグソーパズルとして遊べるレターカードが開示されている。この公報記載の発明では、台紙の表面に文字などのメッセージを書いた後にパズル片を所定の位置に嵌め込み、メッセージをパズル片により覆うように構成している。これにより第１の従来技術と同様にメッセージを他人に読まれないようにし、パズル片を取り除いて台紙に書かれたメッセージを読んだ後は、通常のジグソーパズルとして楽しむことが出来る。
【０００５】
また凹凸を有しない矩形のパズルピースを用いた学習ジグソーパズル玩具が特許文献３（特開２００３−２３６２６０公報）に開示されている。この公報記載の発明では、学習者が回答が印刷されている位置に正しくパズルピースを配置することにより、パズルピース表面全体の絵柄を完成させることができる。
【先行技術文献】
【特許文献】
【０００６】
【特許文献１】特開２００２−２４０４７１公報
【０００７】
【特許文献２】特開２００１−２２４８３９公報
【０００８】
【特許文献３】特開２００３−２３６２６０公報
【考案の概要】
【考案が解決しようとする課題】
【０００９】
第１の従来技術及び第２の従来技術において、ジグソーパズルの各パズルピースは凹部及びこれに嵌合する凸部からなる嵌合部を設け、これらの嵌合部で隣接する各パズルピースが全て互いに嵌め込まれたときに所定の写真や絵が完成するように構成されている。従って各パズルピースが全て嵌め込まれた状態でレターカードが送られた場合、元の写真や絵の完成デザインは、送り先相手がレターカードを受け取った時点でわかってしまい、ジグソーパズルとしての趣向を著しく損ねてしまうという問題がある。
【００１０】
一方、各パズルピースをレターカードのメッセージ記入欄に嵌め込まず、各パズルピースを袋などに入れてレターカードと一緒に送る方法では、送り先相手がレターカードを受け取った時点で完成デザインは不明であるものの、メッセージ記入欄に書いた文字や絵のメッセージが露出しており、読まれたくない第三者にメッセージが読まれてしまう恐れがある。
【００１１】
また特許文献３記載の従来技術では、ジグソーパズルをレターカードとして用いる記載もしくは示唆は無く、メッセージを自由に書くことが出来るメッセージ欄の構成についても記載されていない。また本考案のパズル兼用レターカードを構成するメッセージ欄にあえてパズル盤を対応させてみると、パズル盤に印刷された回答を秘匿する理由は見いだせず、仮に秘匿した場合は学習自体ができない一方、本考案のパズル兼用レターカードはメッセージ欄に自由に書かれたメッセージを秘匿することが本質的に重要である。
【課題を解決するための手段】
【００１２】
本考案のパズル兼用レターカードは、台紙の所定領域に設けたメッセージ記入欄と、前記メッセージ記入欄を少なくとも隠蔽するとともに、ジグソーパズルとしてのパズルピースとを備えたパズル兼用レターカードであって、前記パズルピースは凹凸を有しない矩形で構成されたものである。
【００１３】
また前記台紙の形状、前記台紙デザイン、パズルピースデザインの少なくとも一つが絵馬をモチーフとしたもので構成されても良い。
【００１４】
また前記パズルピース表面に表示された文字や絵などのデザインが剥離しないための剥離防止剤が塗布された構成であっても良い。
【００１５】
さらに前記パズルピース表面及びパズルピースを取り囲む額縁表面が、前記パズルピースが前記台紙から剥離しない為のシートで覆われた構成であっても良い。
【考案の効果】
【００１６】
本考案のパズル兼用レターカードは、台紙の所定表面に文字や絵などのメッセージを書いた後に台紙上にパズルピースを任意のパターンで配列すると、書かれたメッセージがパズルピースで秘匿されるので、郵送途中でメッセージが第三者に見られてしまう恐れがない。
【００１７】
またレターカードを贈られた受取人はパズルピースを取り外して、本人だけがメッセージを読むことが出来る。そしてメッセージを読んだ後は、取り外したパズルピースを用いてジグソーパズルを楽しむことが出来る。さらに完成した絵や写真を壁などに飾って、インテリアとしても楽しむことが出来る。
【００１８】
本考案のパズル兼用レターカードは、贈り主がパズルピースを元の写真や絵の完成デザインと異なる配置にして受取人に送るため、受取人はレターカードを受け取った時点では元の完成デザインを見ることが出来ない。従って、従来技術で問題であった送り先相手がレターカードを受け取った時点で元の完成デザインがわかってしまい、ジグソーパズルとしての趣向を著しく損ねてしまうことがなく、通常のジグソーパズルとして十分楽しむことが出来る。
【００１９】
また本考案のパズル兼用レターカードは、凹凸を持たない矩形のパズルピースで構成されるので、パズルピースによるイラストや写真などの分割線がシャープであり、ジグソーパズルを完成させ俯瞰したときの美観が優れている。特にアイドル写真の顔部分のパズルピースに切り込みが入った場合、アイドルとしてのステータスが傷ついてしまうので従来のジグソーパズルでは大きな問題となったが、本考案のパズルピースではアイドル写真の顔の部分は切り込みを持たないすっきりした矩形で構成されるので、美観上致命的な問題となるようなケースにおいても適用可能である。
【００２０】
さらに本考案のパズル兼用レターカードは、凹凸を持たない矩形のパズルピースで構成されるのでパズルピースの配置をスピーディに変更することができ、パズルピースの配置自体にストレスを感じることがない。
【００２１】
台紙のメッセージ欄は文字、イラストなどを自由に書くことが出来るように無地を基本とするが、メッセージ記入欄に予め罫線を入れておいても良い。自由にイラストを描きたい場合罫線が邪魔になるが、文字やキャラクタを罫線に沿ってきれいに揃えて書くことが出来る効果がある。
【００２２】
またパズルピース表面を剥離防止シートで覆ってから、この剥離防止シートをパズルピース表面および額縁の表面に剥離可能なように貼付することにより、郵送途中などにパズルピースが台紙から剥離しないようにすることができる。
【００２３】
またレターカードを絵馬として構成することにより、直接奉納できない参拝希望者でも、どこからでも郵送して日本各地の神社や仏閣に祈願・奉納することができる。
【００２４】
さらに本考案のパズル兼用レターカードは、パズルピースに凹凸が設けられていないので、パズルピースに凹凸が設けられたジグソーパズルよりもジグソーパズルとしてのゲーム性の難易度は高くなる。そこで、一つのジグソーパズル用のパズルピースの数を複数種類用意することにより、パズルピース数が少なくパズルの難易度が易しい初心者用から、パズルピース数が多くパズルの難易度が高いマニア向けまで難易度の異なるジグソーパズルを提供することが出来る。
【図面の簡単な説明】
【００２５】
【図１】（ａ）は本考案によるパズル兼用レターカードの平面図であり、（ｂ）はパズルピースを台紙から取り外して各パズルピースをばらばらにした状態を示す図であり、（ｃ）はばらばらにしたパズルピースをそのまま額縁内に嵌め込んだ図であり、（ｄ）は台紙からパズルピースを取り外したときの台紙のメッセージ欄を示す図である。
【図２】本考案によるパズル兼用レターカードを絵馬に適用したパズル兼用絵馬はがきを示す平面図である。
【図３】パズルピースの数を変えたときの本考案によるパズル兼用レターカードを示す平面図である。
【図４】本考案によるパズル兼用絵馬はがきの販売拠点を説明する説明図である。
【図５】本考案によるパズル兼用絵馬はがきをポストに投函して送り先に郵送する際の説明図である。
【図６】本考案によるパズル兼用絵馬はがきを全国どこからでも全国の神社仏閣に奉納する際の説明図である。
【符号の説明】
【００２６】
１１，２１，３１  台紙
１２，２２，３２  額縁
１３，２３，３３Ａ〜３３Ｄ  パズルピース
１４，２４  メッセージ記入欄
【考案を実施するための形態】
【実施例１】
【００２７】
本考案にかかるパズル兼用レターカードの一実施形態を、図面を参照しながら説明する。
【００２８】
図１（ａ）は本考案によるパズル兼用レターカードの平面図であり、１１は所定箇所にメッセージが書かれた台紙、１２は台紙表面の周縁部に設けられた額縁、１３はパズルピースである。本考案のパズルピースは、パズルピースの四辺に凹凸が無く矩形から構成されている。（ａ）ではパズルピースの形状を正方形としているが必ずしも正方形である必要はなく、同じ形状を有する縦長または横長の矩形であっても良い。従ってパズルピース同士を組み合わせる必要がないので、パズルピース１３を額縁１２内の任意の位置に配置することが出来る。
【００２９】
図１（ｂ）はパズルピース１３を台紙１１から取り外して各パズルピース１３をばらばらにした状態を示し、（ｃ）はばらばらにしたパズルピース１３をそのまま額縁１２に嵌め込んだ状態を示している。
【００３０】
本考案のパズル兼用レターカードは、（ｂ）の配置状態のパズルピース１３を任意の位置関係で台紙１１に配置することができる。従って台紙１１に書かれたメッセージを秘匿する為にパズルピース１３を台紙上にランダムに配置することは極めて容易である。
【００３１】
また図１で示す絵は京都の清水寺をモチーフとしているが、アイドルなどの人物写真の場合、顔など重要な部分がパズルピース１３間で分割されてしまうと見栄えが著しく悪くなり、ファンに不快感を与えることとなる。この為、このようなジグソーパズルは市場では受け入れられない。本考案のジグソーパズルは四辺に凹凸が無く矩形から構成されているので、イラストや写真などのパズルピースによる分割線がシンプルかつシャープでありジグソーパズルを完成して眺めたときの美観が優れている。
【００３２】
またアイドル写真に限らず絵画などの美術作品に対して本考案のパズル兼用レターカードを適用した場合も同様に、完成したジグソーパズルを俯瞰したとき優れた美観を得ることが出来る。
【００３３】
なお、元のデザインをパズルピースに分割する際に、アイドルの顔など分割したくないデザイン部分を最初に決め、このデザイン部分がパズルピースにより分割されないようにパズルピースの分割を行い、このパズルピースに合わせて他のパズルピースを含む全体のパズルピース分割を行うようにしても良い。
【００３４】
図１（ｄ）は台紙１１からパズルピース１３を取り外したときの台紙１１の表面を示しており、１４はメッセージ記入欄である。このように台紙１１からパズルピース１３を取り外すと書かれたメッセージを読むことが出来る。すなわち、パズルピース１３はジグソーパズルのパズルピースとしての役割と共に、メッセージを秘匿するという役割を果たしている。本考案のパズル兼用レターカードを贈られた受取人はメッセージを読んだ後、（ｂ）に示す各パズルピース１３を用いて（ａ）に示す元のデザインを復元するようジグソーパズルを楽しむことが出来る。このとき（ｃ）に示すように、受取人が見るデザインは（ａ）に示す元のデザインではなく、（ｃ）に示す贈り主によってばらばらに再構成されたデザインである。この為ジグソーパズルとしての趣向が損なわれることはない。
【００３５】
一方従来技術のパズル兼用レターカードにおいては、パズルピースの組み合わせ方法は一通りであって、元の写真や絵の完成デザインは送り先相手がレターカードを受け取った時点でわかってしまい、ジグソーパズルとしての趣向を著しく損ねてしまう。
【００３６】
また本考案によるパズル兼用レターカードの郵送方法としては、透明または半透明な袋に本考案のパズル兼用レターカードを入れてから、送り状シールに宛先の郵便番号記入欄、住所・氏名を記入後このシールを袋に貼って送り先に郵送する。
【００３７】
また図示しないが台紙１１の反対面には、宛先の郵便番号記入欄、住所・氏名記入欄、切手貼り付け位置の指示枠、メッセージ記入欄などを印刷し、これらの記入欄に記載し切手を貼ることにより、送り先に郵送するようにしても良い。
【００３８】
また図示しないがパズルピース１３表面を剥離防止シートにより覆って、この剥離防止シートをパズルピース１３表面および額縁１２の表面に剥離可能なように貼付する。これにより、郵送途中などにパズルピース１３が台紙１１から剥離しないようにすることもできる。このとき剥離防止シートを剥がす際に、パズルピース１３表面に印刷された文字や絵が剥がれないように、ポリエチレン、ポリプロピレンなどのポリオレフィン（polyolefin）類をパズルピース１３表面に塗布することで、剥離防止シートを剥がしてもパズルピース１３表面に印刷された文字や絵が剥がれるのを防止することが出来る。なお塗布材料としてはポリオレフィン（polyolefin）類に限らず、前記パズルピース表面に書かれた文字や絵などのデザインが剥離しないための剥離防止剤であれば良い。
【実施例２】
【００３９】
図示しないが台紙の外形については日本の各都道府県を代表する食べ物や名所を形取った形状としても良い。このような形状とすることにより、ジグソーパズルの完成デザインを一目見るだけでデザインの意図を直感的に理解でき、このデザインで表される食べ物や名所の都道府県出身者であれば、そのデザインに親しみを感じて購買意欲が高まるという効果が得られる。
【００４０】
さらに本考案のパズル兼用レターカードを贈られた受取人は、ランダムに配置されたパズルピースからの絵柄により元のデザインを直感的に推定することが難しいが、台紙及び台紙に印刷する文字、絵、シンボル、凹凸により表現されるパターンなどを参照することにより、完成デザインを一定程度推測することが可能であり、各パズルピースを元のデザインに適合した正しい配列に配置することが容易となる。これは幼児や子供など初心者にとって特に有用である。
【実施例３】
【００４１】
次に図２を参照して本考案によるパズル兼用レターカードを絵馬に適用したパズル兼用絵馬はがきについて説明する。図２（ａ）において、２１は所定箇所にメッセージが書かれた台紙、２２は台紙表面の周縁部に設けられた額縁、２３はパズルピースである。
【００４２】
図１で説明した本考案によるパズル兼用レターカードとの違いは、台形２１の外形と表面に描かれた文字、絵及びシンボルなどの台形デザイン、及びパズルピース２３のデザインが絵馬に合わせて作られている点である。メッセージ記入欄２４には（ｃ）に示すように、家内安全の祈願、交通・旅行安全の祈願、ビジネス成功のための祈願、受験の応援メッセージなど様々な祈願・応援などのメッセージを書くことができる。本考案によるパズル兼用絵馬はがきは、第三者に読まれて欲しくないメッセージを秘匿するのに極めて有効であって、本音でのメッセージを書き込むことができるので、精神性の高い絵馬はがきとして優れている。
【００４３】
また単にシールなどを貼り付けてメッセージを秘匿する方法よりも、遙かに遊び心に富んでおり、受け取った人の気持ちを和やかにする効果がある。また言うまでもなく、本考案によるパズル兼用絵馬はがきをジグソーパズルとして楽しむことができる。
【００４４】
本考案によるパズル兼用絵馬はがきの郵送方法としては、透明または半透明な袋に本考案のパズル兼用レターカードを入れてから、送り状シールに宛先の郵便番号記入欄、住所・氏名を記入後このシールを袋に貼って送り先に郵送する。これにより、直接奉納できない参拝希望者でも、どこからでも郵送で祈願・奉納することができる。
【００４５】
また台紙２１の裏面に（ｄ）に記載のように、日本各地の神社や仏閣の郵便番号、住所、宛先を書くことにより、送り先に郵送するようにしても良い。
【実施例４】
【００４６】
次に本考案によるパズル兼用レターカードのパズルピースの数を変えたときの実施例について、図３を参照して説明する。図３（ａ）〜（ｄ）において、３１は台紙、３２は額縁、３３Ａ〜３３Ｄはパズルピースである。
【００４７】
図３（ａ）はパズルピースが１個からなり、ジグソーパズルのゲーム性よりもメッセージ性やデザイン性に重点をおいて作られている。（ｂ）はパズルピースが６個で標準よりも大きめのパズルピースサイズであり、パズルとしての難易度が低いので子供など初心者に適している。（ｃ）はパズルピースが１５個で標準のパズルピースサイズであり、絵馬、はがき用途として勿論のこと、本格的なパズルとしても楽しむことが出来る。（ｄ）はパズルピースが２８個でパズルとしての難易度が高く、マニアでも十分楽しむことが出来る。このように本考案によるパズル兼用レターカードは、初心者用からマニアまで広範囲なユーザにパズルを楽しんでもらうことが出来る。
【００４８】
なお遊技者がどうしても完成デザインの配列に達することが出来ないときのために、完成デザインを印刷した紙を裏返して見えないように台紙に剥離可能なように貼り付けるか、台紙に完成デザインを印刷しておき剥離可能なシートで隠蔽するようにしても良い。
【実施例５】
【００４９】
次に本考案によるパズル兼用レターカードにおいて、台紙とパズルピース間に郵便書簡（ミニレター）を挟んだときの実施例について説明する。台紙のメッセージ記入欄は比較的狭いので多くの文字や絵を書くことは出来ないが、郵便書簡（ミニレター）ははがきの約３倍のスペースがあるので、より多くの文字や絵を書くことが出来る。本考案によるパズル兼用レターカードを受け取った受取人は、パズルピース及び郵便書簡（ミニレター）を台紙から取り出した後メッセージ記入欄に書かれたメッセージを読み、さらに郵便書簡（ミニレター）を開いて読むことが出来る。例えばメッセージ記入欄にはデザインに凝った文字や絵を描き、これに関連する文書を郵便書簡（ミニレター）に書くことで、単にメッセージ欄に書かれた情報量を増やすと言うだけでなく、メッセージ欄と郵便書簡（ミニレター）のメッセージに対して、デザインやその他様々な変化をつけることが出来る。
【実施例６】
【００５０】
次に本考案によるパズル兼用レターカードを、返信用としても使えるようにした返信用パズル兼用レターカードの実施例について説明する。
【００５１】
最初に本考案の返信用パズル兼用レターカードのメッセージ欄にメッセージを書いた後、第１の実施例のパズル兼用レターカードと同様にパズルピースでメッセージを秘匿する。次に本実施例による返信用パズル兼用レターカードと、これの使用説明書、返信用封筒などを透明又は半透明などの袋にいれて、この袋に切手と、宛先住所、宛名などが書かれたシールを貼って送り先に郵送する。
【００５２】
受取人はメッセージ記入欄に書かれたメッセージを読んだ後、本実施例の返信用パズル兼用レターカードの台紙裏面に返信用メッセージを書き、返信用パズル兼用レターカードと一緒に同封された返信用封筒に返信用パズル兼用レターカードを入れて元の送り主に郵送する。返信用メッセージは、台紙裏面に限らず、台紙表面のメッセージ記入欄に記入してもよい。この場合、台紙表面に送信者の記入欄と返信者の記入欄が設けてあり、受取人は、パズルを取り外してメッセージを読んだ後、返信メッセージを記入し、その後にパズルをはめて元の送り主に返信する。
【００５３】
本実施例による返信用パズル兼用レターカードは返信するためのはがきを別途用意する必要が無く、手軽に返信することが出来るだけでなく、省資源にも効果的である。
【００５４】
また送り主がメッセージ欄の上の方に俳句や短歌の上の句を書いて送り、受取人が上の句を受けてメッセージ欄の下の方に下の句を書いて一句を作って送り主に郵送し、連歌として楽しむことも出来る。
【００５５】
次に図４〜図７を参照して本考案によるパズル兼用絵馬はがきの販売方法、配達方法などについて説明する。
【００５６】
図４に示すように本考案によるパズル兼用絵馬はがきは、神社、仏閣、コンビニエンスストア、郵便局で購入することが出来るが、これ以外にもＷＥＢの専用ページ上からも購入することが出来、容易に購入することが出来る。
【００５７】
購入した顧客は図１〜図３で説明したようにメッセージを書いた後、パズルピース１３，２３，３３Ａ〜３３Ｄをランダムに台紙１１，２１，３１上に再配置し、パズルピース１３表面を剥離防止シートにより覆い、このシートをパズルピース１３，２３，３３Ａ〜３３Ｄ表面および額縁１２，２２，３２の表面に剥離可能なように貼付した後、図５に示すようにこのパズル兼用絵馬はがきをポストに投函して送り先に郵送する。このパズル兼用絵馬はがきは郵便として扱われるので、図６に示すように全国どこからでも全国の神社仏閣に奉納することが出来る。
【図１】
0003175903.tif 000003
【図２】
0003175903.tif 000004
【図３】
0003175903.tif 000005
【図４】
0003175903.tif 000006
【図５】
0003175903.tif 000007
【図６】
0003175903.tif 000008